(57)【特許請求の範囲】
【請求項１】
太陽熱で熱媒を加温する太陽熱集熱器と、
前記太陽熱集熱器で加温された前記熱媒を蓄熱する蓄熱槽と、
汚泥を撹拌しながら乾燥する汚泥乾燥炉と、
前記太陽熱集熱器からの前記熱媒又は前記蓄熱槽からの前記熱媒を熱源として前記汚泥乾燥炉を外側から暖める蓄熱タンクと、
暖かい吸気を前記汚泥乾燥炉内の前記汚泥に散気する散気手段と、
を有することを特徴とする汚泥乾燥システム。
【請求項２】
前記太陽熱集熱器と前記蓄熱槽の間で前記熱媒を循環する第１ポンプと、
前記蓄熱槽と前記蓄熱タンクとの間で前記熱媒を循環する第２ポンプと、
を有することを特徴とする請求項１に記載の汚泥乾燥システム。
【請求項３】
前記汚泥乾燥炉内又は前記汚泥乾燥炉外に設けられたＦＡＮを用いて前記散気が行われることを特徴とする請求項１に記載の汚泥乾燥システム。
【請求項４】
前記汚泥乾燥炉から排気される排出ガスを用いて前記汚泥乾燥炉内の前記汚泥に散気する前記吸気を暖めることを特徴とする請求項１に記載の汚泥乾燥システム。
【請求項５】
前記太陽熱集熱器から出力される前記熱媒の温度を検出する第１温度センサと、
前記第１温度センサによって検出された温度値に従い前記第１ポンプの駆動を制御する第１制御手段と、
前記汚泥乾燥炉から排気される排出ガスの温度を検出する第２温度センサと、
前記第２温度センサによって検出された前記排気ガスの温度値に従い前記第２ポンプの駆動を制御する第２制御手段と、
を有することを特徴とする請求項２に記載の汚泥乾燥システム。
【請求項６】
第２制御手段は、
前記第２温度センサによって検出した前記汚泥乾燥炉の排気ガスの温度値が低い場合、前記蓄熱槽からの前記熱媒の流量が多くなるように前記第２ポンプを駆動して前記蓄熱手段の温度が高くなるように制御し、
前記排気ガスの温度値が高い場合、前記蓄熱槽からの前記熱媒の流量が少なくなるように前記第２ポンプを駆動して前記蓄熱タンクの温度が低くなるように制御する
ことを特徴とする請求項５に記載の汚泥乾燥システム。
【請求項７】
前記蓄熱槽から出口される熱媒の温度を検出する第３温度センサと、
前記第３温度センサによって検出された温度値に従い前記蓄熱槽のヒータ補助熱源のＯＮ／ＯＦＦを制御する第３制御手段と、
を有することを特徴とする請求項１又は請求項５に記載の汚泥乾燥システム。
【請求項８】
前記第３制御手段と前記第２制御手段が共通な１つの制御手段によって制御されることを特徴とする請求項６又は請求項７に記載の汚泥乾燥システム。
【請求項９】
前記蓄熱タンクを通過する前記熱媒によって吸気用の暖められた空気を生成する吸気手段を更に有し、
前記吸気手段からの前記空気を散気として前記汚泥乾燥炉内に供給することを特徴とする請求項１に記載の汚泥乾燥システム。
【請求項１０】
前記汚泥乾燥炉から出力される乾燥ガスが供給される凝縮器を更に有し、
前記凝縮器で生成された凝縮水を外部に排水すると共に、前記凝縮器から出力される前記乾燥ガスを前記吸気手段に供給することを特徴とする請求項９に記載の汚泥乾燥システム。
【請求項１１】
前記汚泥乾燥炉から出力される前記乾燥ガスの温度を検出する第４温度センサと、
前記第４温度センサによって検出された前記乾燥ガスの温度値に従い前記第２ポンプの駆動を制御する第４制御手段と、
を有することを特徴とする請求項２又は１０に記載の汚泥乾燥システム。
【請求項１２】
前記凝縮器から出力される前記乾燥ガスを前記蓄熱タンク内に設けられた複数の熱交換パイプに供給し、前記複数の熱交換パイプで暖められた前記乾燥ガスを散気として前記汚泥乾燥炉内に供給することを特徴とする請求項１０に記載の汚泥乾燥システム。
【請求項１３】
太陽熱で熱媒を加温する太陽熱集熱器と、
前記太陽熱集熱器で加温された前記熱媒を蓄熱する蓄熱槽と、
汚泥を撹拌しながら乾燥する汚泥乾燥炉と、
前記太陽熱集熱器からの前記熱媒又は前記蓄熱槽からの前記熱媒を熱源として前記汚泥乾燥炉を外側から暖める蓄熱タンクと、
発電機又はボイラの排熱で暖められた吸気を前記汚泥乾燥炉内の前記汚泥に散気する散気手段と、
を有することを特徴とする汚泥乾燥システム。
【請求項１４】
太陽熱で熱媒を加温する太陽熱集熱器と、
前記太陽熱集熱器で加温された前記熱媒を蓄熱する蓄熱槽と、
汚泥を撹拌しながら乾燥する汚泥乾燥炉と、
前記太陽熱集熱器からの前記熱媒又は前記蓄熱槽からの前記熱媒を熱源として前記汚泥乾燥炉を外側から暖める蓄熱タンクと、
発電機又はボイラの排熱で暖められた空気が供給され、前記蓄熱タンクを通過する前記熱媒によって前記空気を暖める吸気手段と、
前記吸気手段からの前記空気を前記汚泥乾燥炉内の前記汚泥に散気する散気手段と、
を有することを特徴とする汚泥乾燥システム。
【請求項１５】
太陽熱で熱媒を加温する太陽熱集熱器と、
前記太陽熱集熱器で加温された前記熱媒を蓄熱する蓄熱槽と、
下水処理場の汚泥処理施設から供給される汚泥を撹拌しながら乾燥する汚泥乾燥炉と、
前記太陽熱集熱器からの前記熱媒又は前記蓄熱槽からの前記熱媒を熱源として前記汚泥乾燥炉を外側から暖める蓄熱手段と、
前記汚泥乾燥炉から出力される乾燥ガスが供給され、生成した凝縮水を前記下水処理場の水処理施設を経由して外部に排水する凝縮器と、
前記凝縮器から出力される前記乾燥ガスを、前記蓄熱手段を通過する前記熱媒によって温める吸気手段と、
前記吸気手段で温められた前記乾燥ガスを前記汚泥乾燥炉に散気する散気手段と、
を有することを特徴とする汚泥乾燥システム。
【請求項１６】
太陽熱で熱媒を加温する太陽熱集熱器と、
前記太陽熱集熱器で加温された前記熱媒を蓄熱する蓄熱槽と、
汚泥を撹拌しながら乾燥する汚泥乾燥炉と、
前記太陽熱集熱器からの前記熱媒又は前記蓄熱槽からの前記熱媒を熱源として前記汚泥乾燥炉を外側から暖める蓄熱タンクと、
を有する汚泥乾燥システムの汚泥乾燥方法であって、
前記太陽熱集熱器からの前記熱媒又は前記蓄熱槽からの前記熱媒を熱源として前記汚泥乾燥炉を外側から暖めると同時に、暖かい吸気を前記汚泥乾燥炉内の撹拌されている前記汚泥に散気して乾燥する
ことを特徴とする汚泥乾燥方法。
【請求項１７】
前記蓄熱槽から出口される熱媒の温度を検出し、その検出された前記熱媒の温度値に従い前記蓄熱槽のヒータ補助熱源のＯＮ／ＯＦＦを制御して前記蓄熱槽の前記熱媒の温度を維持することを特徴とする請求項１６に記載の汚泥乾燥方法。
【請求項１８】
前記汚泥乾燥炉から排気される排出ガスの温度を検出し、
前記検出した前記汚泥乾燥炉の排気ガスの温度値が低い場合、前記蓄熱槽からの前記熱媒の流量が多くして前記汚泥乾燥炉を外側の前記蓄熱タンクの温度が高くなるように制御し、
前記排気ガスの温度値が高い場合、前記蓄熱槽からの前記熱媒の流量が少なくして前記汚泥乾燥炉を外側の前記蓄熱タンクの温度が低くなるように制御する
ことを特徴とする請求項１６に記載の汚泥乾燥方法。
【発明の詳細な説明】
【技術分野】
【０００１】
本発明の実施形態は、自然エネルギー／未利用エネルギー活用型の汚泥乾燥システムおよび汚泥乾燥方法に関する。
【背景技術】
【０００２】
水処理プロセスから発生した汚泥は、濃縮、消化、調質、脱水、乾燥、焼却、溶融等の汚泥処理プロセスによって処理される。その内、乾燥プロセスは、脱水汚泥の緑農地利用を目的とした水分調整や焼却、溶融プロセスの省エネルギー化や安定化のための前処理として用いられている。その乾燥プロセスでは、自然エネルギーを利用した天日乾燥方式や機械乾燥方法が取られている。機械乾燥方法では、直接加熱乾燥方式と間接加熱乾燥方式とがある。直接加熱乾燥方式は、撹拌機付熱風回転乾燥機を用いて汚泥を回転ドラムに投入し、撹拌粉砕しつつ熱風を吹き込み、汚泥水分を蒸発させ乾燥する。また、気流乾燥機を用いて汚泥を熱風とともに解砕機に投入し、粉砕乾燥する。間接加熱乾燥方式は、撹拌溝型乾燥機を用いて乾燥機の胴部ジャケットおよび楔形撹拌翼に水蒸気を送り、これらの加熱面を介して間接的に汚泥に伝熱し乾燥する。
【０００３】
天日乾燥床は、排泥池または濃縮槽によりスラッジを濃縮したのち、上澄み水の排除とろ過により汚泥の含水率を低下させた後、天日による蒸発を手段として乾燥を行う施設である。天日乾燥床による汚泥乾燥が機械脱水方式よりも有利となるためには、（１）十分な用地の確保が容易な場合、（２）中、小規模浄水場で排泥の頻度が少ない場合、（３）気候条件が乾燥に適する場合、などの条件をクリアする必要がある。
【０００４】
天日乾燥方式は、維持管理の容易さや、設備の運用に関する経済性などの点において他の方式より優れているが、汚泥のかき取りには人手が必要となり、排泥の頻度が高いような水源には向かない。天日乾燥床は、主として上水道、工業用水道事業の汚泥乾燥に使用されるが小規模な場合は下水汚泥に使用されることもある。ただし、上水汚泥の組成が無機質中心であるのと比べると、下水汚泥は有機物を多く含むため悪臭や蝿などの発生による２次公害の恐れがあり、消化汚泥を対象とする透水速度を向上するなどの対策が必要になる。
【０００５】
天日乾燥床に類似する施設として、濃縮しない沈殿スラッジなどを直接受入れるラグーンと呼ばれるものがある。ラグーンは構造が簡単で、濃縮槽を省略できるなどの長所がある反面、天日乾燥床以上に用地を必要とするなどの欠点がある。
【０００６】
したがって、従来の天日乾燥では用地の確保や臭気の問題があり、また機械乾燥方法による汚泥乾燥では化石燃料や電気を多量に使用する問題がある。
【先行技術文献】
【特許文献】
【０００７】
【特許文献１】特開２０１３−１１７３３３号公報
【特許文献２】特許第５４４３２０５号公報
【特許文献３】特許第４９６４７３４号公報
【特許文献４】特許第４７５４２８２号公報
【発明の概要】
【発明が解決しようとする課題】
【０００８】
本発明が解決しようとする課題は、背景技術の問題点を可決すると共に、自然エネルギー／未利用エネルギーを活用して廉価で安全な汚泥乾燥システムおよび汚泥乾燥方法を提供することを目的とする。
【課題を解決するための手段】
【０００９】
上記目的を達成するために、実施形態の汚泥乾燥システムは、太陽熱で熱媒を加温する太陽熱集熱器と、前記太陽熱集熱器で加温された前記熱媒を蓄熱する蓄熱槽と、汚泥を撹拌しながら乾燥する汚泥乾燥炉と、前記太陽熱集熱器からの前記熱媒又は前記蓄熱槽からの前記熱媒を熱源として前記汚泥乾燥炉を外側から暖める蓄熱タンクと、暖かい吸気を前記汚泥乾燥炉内の前記汚泥に散気する散気手段と、を有することを特徴とする。
【００１０】
また、他の実施形態の汚泥乾燥システムは、太陽熱で熱媒を加温する太陽熱集熱器と、前記太陽熱集熱器で加温された前記熱媒を蓄熱する蓄熱槽と、汚泥を撹拌しながら乾燥する汚泥乾燥炉と、前記太陽熱集熱器からの前記熱媒又は前記蓄熱槽からの前記熱媒を熱源として前記汚泥乾燥炉を外側から暖める蓄熱タンクと、発電機又はボイラの排熱で暖められた吸気を前記汚泥乾燥炉内の前記汚泥に散気する散気手段と、を有することを特徴とする。
【００１１】
また、他の実施形態の汚泥乾燥システムは、太陽熱で熱媒を加温する太陽熱集熱器と、前記太陽熱集熱器で加温された前記熱媒を蓄熱する蓄熱槽と、下水処理場の汚泥処理施設から供給される汚泥を撹拌しながら乾燥する汚泥乾燥炉と、前記太陽熱集熱器からの前記熱媒又は前記蓄熱槽からの前記熱媒を熱源として前記汚泥乾燥炉を外側から暖める蓄熱手段と、前記汚泥乾燥炉から出力される乾燥ガスが供給され、生成した凝縮水を下水処理場の水処理施設を経由して外部に排水する凝縮器と、前記凝縮器から出力される前記乾燥ガスを、前記蓄熱手段を通過する前記熱媒によって温める吸気手段と、前記吸気手段で温められた前記乾燥ガスを前記汚泥乾燥炉に散気する散気手段と、を有することを特徴とする。
【００１２】
また、実施形態の汚泥乾燥方法は、太陽熱で熱媒を加温する太陽熱集熱器と、前記太陽熱集熱器で加温された前記熱媒を蓄熱する蓄熱槽と、汚泥を撹拌しながら乾燥する汚泥乾燥炉と、前記太陽熱集熱器からの前記熱媒又は前記蓄熱槽からの前記熱媒を熱源として前記汚泥乾燥炉を外側から暖める蓄熱手段と、を有する汚泥乾燥システムの汚泥乾燥方法であって、前記太陽熱集熱器からの前記熱媒又は前記蓄熱槽からの前記熱媒を熱源として前記汚泥乾燥炉を外側から暖めると同時に、暖かい吸気を前記汚泥乾燥炉内の撹拌されている前記汚泥に散気して乾燥することを特徴とする。
【００１３】
本発明の各実施形態によれば、蓄熱手段により汚泥乾燥炉の下面から汚泥を温めると共に、汚泥乾燥炉内上部の散気手段から汚泥に向けて散気することにより汚泥表面の乾燥を促進するものであるため、乾燥時間が短く、且つ低コストの汚泥乾燥システムを提供する。また、太陽熱の自然エネルギーを活用した環境に良い汚泥乾燥システムおよび汚泥乾燥方法を提供することができる。
【図面の簡単な説明】
【００１４】
【図１】第１の実施形態の汚泥乾燥システムの構成を示す図。
【図２】第１の実施形態の変形例の汚泥乾燥システムの構成を示す図。
【図３】第２の実施形態の汚泥乾燥システムの構成を示す図。
【図４】第２の実施形態の変形例の汚泥乾燥システムの構成を示す図。
【図５】第３の実施形態の汚泥乾燥システムの構成を示す図。
【図６】第４の実施形態の汚泥乾燥システムの構成を示す図。
【図７】第５の実施形態の汚泥乾燥システムの構成を示す図。
【図８】第４の実施形態の汚泥乾燥システムに適用される汚泥乾燥炉の詳細な構成を示す図。
【図９】第５の実施形態の汚泥乾燥システムに適用される汚泥乾燥炉の詳細な構成を示す図。
【図１０】第６の実施形態の汚泥乾燥システムの構成を示す図。
【図１１】第６の実施形態の第１変形例の汚泥乾燥システムの構成を示す図。
【図１２】第６の実施形態の第２変形例の汚泥乾燥システムの構成を示す図。
【図１３】下水処理における汚泥乾燥システムの構成を示す図。
【図１４】全ての実施形態における日射量と熱源との関係を示す図。
【図１５】全ての実施形態における排気ガスの温度若しくは汚泥乾燥炉内温度と温水循環流量との関係を示す図。
【図１６】全ての実施形態における汚泥乾燥システムの汚泥の含水率の２４時間の測定結果を示す図。
【発明を実施するための形態】
【００１５】
以下、図面を参照して、実施形態に係る汚泥乾燥システムを説明する。
【００１６】
（第１実施形態）
図１は、第１実施形態に係る汚泥乾燥システムの構成を示す図である。
【００１７】
第１実施形態の汚泥乾燥システムは、太陽熱集熱器１０と、第１ポンプ１５と、蓄熱槽２０と、補助熱源３０と、第２ポンプ４０と、汚泥乾燥炉５０と、第１ＦＡＮ６０と、熱交換器７０と、第２ＦＡＮ８０と、スクラバ９０などを有して構成されている。
【００１８】
太陽熱集熱器１０は、日中太陽光が照射される屋上や空き地などの場所に設置される。この太陽熱集熱器１０で集めた太陽熱を用いて循環熱媒（例えば、水）を加熱する。第１ポンプ１５は、太陽熱が得られる時間帯において、循環熱媒を太陽熱集熱器１０内に繰り返し循環させて、高温に加熱した循環熱媒を蓄熱槽２０に供給する。補助熱源３０は、蓄熱槽２０内の循環熱媒の温度が低下した時に、内部ヒータを温める熱源（電源）である。
【００１９】
汚泥乾燥炉５０は、汚泥を乾燥する乾燥炉である。汚泥乾燥炉５０の内部には、乾燥対象の汚泥を撹拌するための攪拌機５１と、上面から汚泥に向けて暖かい空気を散気する散気部材５２が設けられている。攪拌機５１は、乾燥時間中、図示しないモータによって回転される。汚泥乾燥炉５０の上面に設けられた散気部材５２には、暖かい空気を散気する多数の散気穴５３が設けられている。更に、汚泥乾燥炉５０の下面には、蓄熱タンク５５が取り付けられている。ここでは、汚泥乾燥炉５０の下面に蓄熱タンク５５を取り付けるとしたが、汚泥乾燥炉５０の外側から暖めるものであれば、側面又は下面および側面又は下面および側面および上面に蓄熱タンク５５を取り付けても良い。蓄熱タンク５５は、汚泥乾燥炉５０の側面又は下面および側面に接する長さを有する蓄熱タンクなどで構成される。
【００２０】
蓄熱タンク５５には、第２ポンプ４０の動作により蓄熱槽２０から高温の循環熱媒が供給されている。これにより、汚泥乾燥炉５０内の汚泥が下面から温められ、汚泥乾燥が行われる。蓄熱タンク５５を通過した循環熱媒は、蓄熱槽２０に戻され、温かい循環熱媒と混合される。言い換えると、太陽熱集熱器１０が作動している時間帯は、太陽熱集熱器１０により高温に温められた循環熱媒によって汚泥乾燥炉５０の下面が温められていることになる。
【００２１】
汚泥乾燥炉５０には、図示しない吸気孔と排気孔とが設けられている。汚泥乾燥炉５０に吸気する空気は、熱交換器７０を通過して温められたものが、吸気孔から汚泥乾燥炉５０内に吸気されている。そして、汚泥乾燥炉５０内の空気は、外側の第１ＦＡＮ６０によって循環し、散気部材５２の散気穴５３から汚泥に向けて散気される。これにより、汚泥乾燥炉５０内の汚泥は、撹拌と下面と上面の両方からの乾燥作用により、汚泥乾燥を促進することができる。
【００２２】
一方、汚泥乾燥炉５０の排気孔から排出された排気ガス（排気物）には、汚泥乾燥で発生した蒸気などが含まれており、熱交換器７０を経由して第２ＦＡＮ８０によって排気され、スクラバ９０によって脱臭・洗浄された後に、外に排気される。なお、熱交換器７０は、汚泥乾燥炉５０から排出される暖かい排気ガスによって、吸気する空気を暖める動作を行っている。これにより、汚泥乾燥炉５０内には常に暖かい空気が供給され、散気部材５２の散気穴５３から汚泥に向けて散気されている。
【００２３】
次に、上記構成を有する第１実施形態の汚泥乾燥システムの動作を説明する。
【００２４】
太陽熱集熱器１０では、第１ポンプ１５を用いて循環熱媒を太陽熱集熱器１０内で循環させて、太陽熱を用いて循環熱媒を高温に温める。その高温に温めた循環熱媒は、蓄熱槽２０に供給され、蓄熱される。汚泥乾燥炉５０の下面に設けられた蓄熱タンク５５には、第２ポンプ４０の動作により蓄熱槽２０からの高温の循環熱媒が循環して供給されている。これにより、汚泥乾燥炉５０内の汚泥が蓄熱タンク５５によって外側（下面等）から温められ、乾燥動作が行われる。
【００２５】
また、汚泥乾燥炉５０から排気される暖かい排気物は熱交換器７０に供給され、この熱交換器７０で温められた空気が汚泥乾燥炉５０内に吸気されている。そして、汚泥乾燥炉５０内に吸気された空気は、外側の第１ＦＡＮ６０の作用により吸い上げられ、汚泥乾燥炉５０内の上面に取り付けられた散気部材５２の散気穴５３から汚泥に向けて散気する動作を循環して行われる。これにより、撹拌機５１で撹拌される汚泥表面の乾燥を一段と促進することができる。
【００２６】
汚泥乾燥炉５０から排出された排気ガスには、汚泥乾燥で発生した蒸気が含まれているが、熱交換器７０での再利用と、スクラバ９０によって脱臭・洗浄された後に外に排気されるため、排気ガスに対する環境汚染対策も講じられている。
【００２７】
そして、日中は太陽熱集熱器１０で温めた循環熱媒を蓄熱タンク５５の熱源として用い、日没後の夜間は、昼間に蓄熱槽２０に蓄熱した循環熱媒を蓄熱タンク５５の熱源として用いることで汚泥乾燥が行われる。なお、冬場や日射量が少ない場合、或いは日没後の夜間などで、蓄熱槽２０内の循環熱媒の温度が低くなった時には、蓄熱槽２０内に設けられるヒータを加熱する補助熱源３０を用いて循環熱媒を所定温度に温めるなどの対策が行われる。ここでは、ヒータを加熱する補助熱源３０を用いるとしたが、消化ガスを燃料とする温水ボイラを用いても良い。以下の実施形態の補助熱源３０についても同様である。
【００２８】
このように第１実施形態の汚泥乾燥システムでは、蓄熱タンク５５により汚泥乾燥炉５０の下面から汚泥を温めると共に、汚泥乾燥炉５０内上部の散気部材５２の散気穴５３から汚泥に向けて散気することにより汚泥を乾燥するものであるため、乾燥時間が短く、且つ低コストの汚泥乾燥システムを提供することができる。また、太陽熱の自然エネルギーを活用した環境に良い汚泥乾燥システムを提供することができる。
【００２９】
また、攪拌機５１の回転速度は、低速もしくは間欠駆動で動かしても十分な乾燥効果が得られるので、モータ回転に必要とするエネルギー消費量を低減することができる。更に、攪拌機５１による汚泥撹拌と上面からの散気との連動により、汚泥表面の水分蒸発速度を早めることができる。更にまた、乾燥により生じる湿り排気ガスを排気し、排気ガスのもつ熱エネルギーで吸気用の空気を熱交換器７０で加熱し、その空気を汚泥乾燥機５０内に吸気しているので、汚泥乾燥機５０の内部温度が低下することなく散気することができ、効率良く乾燥することができる。
【００３０】
（第１実施形態の変形例）
図２は、第１実施形態の変形例の汚泥乾燥システムを示す図である。
【００３１】
図１では、第１ＦＡＮ６０を汚泥乾燥炉５０の外部に設ける構成としたが、図２に示すように第１ＦＡＮ６０と散気部材５２の構成に代えて、汚泥乾燥炉５０の上部に内部ＦＡＮ６５ａ，６５ｂ，６５ｃ，‥を用いる構成としても良い。この場合、汚泥乾燥システムの動作は、内部ＦＡＮ６５ａ，６５ｂ，６５ｃによる散気動作以外は、上述した第１実施形態と同じであるので、その説明は省略する。
【００３２】
（第２実施形態）
図３は、第２実施形態の汚泥乾燥システムを示す図である。以下の説明では、第１実施形態と異なる点を中心に第２実施形態を説明する。
【００３３】
図３の第２実施形態では、第１温度センサ１００と第１制御器１１０、第２温度センサ１２０と第２制御器１３０、第３温度センサ１４０と第３制御器１５０とが新たに設けられている点が、第１実施形態と異なっている。
【００３４】
第１温度センサ１００は、太陽熱集熱器１０の出口部や、太陽熱集熱器１０と蓄熱槽２０との間の配管上に設けられ、循環熱媒の温度を検出する。第１温度センサ１００によって検出された温度値は、第１制御器１１０に出力される。第１制御器１１０は、第１温度センサ１００によって検出された温度値に従い第１ポンプ１５を駆動制御する。
【００３５】
第２温度センサ１２０は、汚泥乾燥炉５０の出口部や、汚泥乾燥炉５０と熱交換器７０との間の配管上に設けられ、汚泥乾燥炉５０の排気ガス温度を検出する。第２温度センサ１２０によって検出された排気ガス温度値は、第２制御器１３０に出力される。第２制御器１３０は、第２温度センサ１２０によって検出された排気ガス温度値に従い第２ポンプ４０を駆動制御する。
【００３６】
第３温度センサ１４０は、蓄熱槽２０の出口部や、蓄熱槽２０と蓄熱タンク５５との間の配管上に設けられ、蓄熱槽２０から出力される循環熱媒の温度を検出する。第３温度センサ１４０によって検出された温度値は、第３制御器１５０に出力される。第３制御器１５０は、第３温度センサ１４０によって検出された温度値に従いヒータの補助熱源３０のＯＮ／ＯＦＦを制御する。
【００３７】
次に、第２実施形態の汚泥乾燥システムの動作について説明する。
【００３８】
太陽熱集熱器１０では、第１ポンプ１５を用いて循環熱媒を太陽熱集熱器１０内で循環させて、太陽熱を用いて循環熱媒を高温に温める。その高温に温めた循環熱媒は、蓄熱槽２０に供給され、蓄熱される。
【００３９】
この時、第１温度センサ１００によって検出された温度値に従い、第１制御器１１０が第１ポンプ１５を駆動制御するように動作する。例えば、夏場の場合、循環熱媒の温度の適正温度値として、例えば７０度前後の適正値Ｋ度を設定する。この適正値Ｋ度は、春夏秋冬に応じて任意に設定することができる。勿論、日々の天候に応じて任意に設定しても良い。第１制御器１１０は、第１温度センサ１００の温度が設定した適正値Ｋ度に達するまで、第１ポンプ１５を駆動して、循環熱媒を太陽熱集熱器１０内で循環させる。これにより、蓄熱槽２０には、適正値Ｋ度に達した循環熱媒が蓄熱されることになる。
【００４０】
汚泥乾燥炉５０の下面に設けられた蓄熱タンク５５には、第２ポンプ４０の動作により蓄熱槽２０からの高温の循環熱媒が循環して供給されている。これにより、汚泥乾燥炉５０内の汚泥が蓄熱タンク５５によって外側（下面等）から温められ、乾燥動作が行われる。
【００４１】
この時、汚泥乾燥炉５０の排気ガス温度を第２温度センサ１２０によって検出し、その検出された排気ガス温度値に従い第２制御器１３０が第２ポンプ４０を駆動制御するように動作する。汚泥乾燥炉５０の蓄熱タンク５５は蓄熱槽２０からの熱源で温められるので、汚泥乾燥炉５０内の温度も適正値Ｋ度を少し下回る程度の温度であることが望ましい。
【００４２】
そして、汚泥乾燥炉５０の排気ガス温度を第２温度センサ１２０によって検出し、排気ガス温度値が低い場合、第２制御器１３０は蓄熱槽２０からの循環熱媒の流量が多くなるように第２ポンプ４０を駆動することで、蓄熱タンク５５の温度が高くなるように制御する。一方、排気ガス温度値が高い場合、第２制御器１３０は蓄熱槽２０からの循環熱媒の流量が少なくなるように第２ポンプ４０を駆動することで、蓄熱タンク５５の温度が低くなるように制御する。これは、夏場などで循環熱媒の温度が予想以上に高くなった場合の対策として作動する。このような熱媒流量調整により、汚泥乾燥炉５０内の汚泥が乾燥しすぎないように乾燥炉内温度を調整することができる。
【００４３】
また第１実施形態と同様に、汚泥乾燥炉５０から排気される暖かい排気物は熱交換器７０に供給され、この熱交換器７０で温められた空気が汚泥乾燥炉５０内に吸気されている。そして、汚泥乾燥炉５０内に吸気された空気は、外側の第１ＦＡＮ６０の作用により吸い上げられ、汚泥乾燥炉５０内の上面に取り付けられた散気部材５２の散気穴５３から汚泥に向けて散気する動作を循環して行われる。これにより、撹拌機５１で撹拌される汚泥表面の乾燥を一段と促進することができる。
【００４４】
汚泥乾燥炉５０から排出された排気ガスには、汚泥乾燥で発生した蒸気が含まれているが、熱交換器７０での再利用と、スクラバ９０によって脱臭・洗浄された後に外に排気されるため、排気ガスに対する環境汚染対策も講じられている。
【００４５】
そして、日中は太陽熱集熱器１０で温めた循環熱媒を蓄熱タンク５５の熱源として用い、日没後の夜間は、昼間に蓄熱槽２０に蓄熱した循環熱媒を蓄熱タンク５５の熱源として用いることで汚泥乾燥が行われる。また、冬場や日射量が少ない場合、或いは日没後の夜間などで、蓄熱槽２０内の循環熱媒の温度が低くなった時には、蓄熱槽２０内に設けられるヒータを加熱する補助熱源３０を用いて循環熱媒を所定温度に温めるなどの対策が行われる。
【００４６】
この蓄熱槽２０内の循環熱媒の温度が低くなったことを、蓄熱槽２０から出力される循環熱媒の温度を第３温度センサ１４０によって検出し、その検出された温度値が所定値より低い場合、第３制御器１５０はヒータの補助熱源３０をＯＮとし、高い場合はＯＦＦとする。これにより、蓄熱槽２０の熱源が所定の温度値をキープすることができ、安定した汚泥乾燥が行われる。
【００４７】
（第２実施形態の変形例）
図４は、第２実施形態の変形例の汚泥乾燥システムを示す図である。
【００４８】
図３では、第２制御器１３０と第３制御器１５０を別々に設ける構成としたが、図４に示すように第２制御器１３０と第３制御器１５０に代えて、共通の制御器１６０を用いる構成としても良い。この場合、汚泥乾燥システムの動作は、第２制御器１３０と第３制御器１５０の動作を制御器１６０が担うこと以外は、上述した第２実施形態と同じであるので、その説明は省略する。なお、この第２実施形態に、図２に示した第１実施形態の変形例を適用しても良い。
【００４９】
（第３実施形態）
図５は、第３実施形態の汚泥乾燥システムを示す図である。以下の説明では、図３および図４に示した第２実施形態と異なる点を中心に第３実施形態を説明する。
【００５０】
図５の第３実施形態では、熱交換器７０の代わりに吸気部材２００の空気層が形成されている点が第２実施形態と異なっている。
【００５１】
吸気部材２００は、蓄熱タンク５５の外壁（例えば、下面）に取り付けられている。従って、蓄熱槽２０からの熱源で温められた蓄熱タンク５５によって吸気部材２００の空気層も温められることになる。ここでは、吸気部材２００を蓄熱タンク５５の下面に取り付けるとしたが、蓄熱タンク５５の側面又は下面および側面に取り付けても良い。この吸気部材２００で温められた空気が汚泥乾燥炉５０内に吸気され、それが第１ＦＡＮ６０によって汚泥乾燥炉５０内に循環散気されること以外は、第１実施形態および第２実施形態の動作と同じであるので、その説明は省略する。
【００５２】
したがって、第３実施形態によれば、図１乃至図４の各実施形態に示した熱交換器７０が無くなる分、部品コストを削減することができる。また、蓄熱タンク５５を吸気部材２００で覆っているため、吸気部材２００が蓄熱タンク５５の保温材となり、蓄熱タンク５５の保温性を高めることができ、一石二鳥の効果がある。なお、第３実施形態と図１乃至図４の各実施形態とを適宜組み合わせて構成しても良い。
【００５３】
（第４実施形態）
図６は、第４実施形態の汚泥乾燥システムを示す図である。以下の説明では、図４に示した第２実施形態、および図５に示した第３実施形態と異なる点を中心に第４実施形態を説明する。
【００５４】
図６の第４実施形態では、第２実施形態と同様に第１温度センサ１００と第１制御器１１０、第２温度センサ１２０と第２制御器１３０、第３温度センサ１４０と第３制御器１５０を有している。また、第３実施形態と同様に、熱交換器７０の代わりに吸気部材２００の空気層が蓄熱タンク５５の外壁（下面等）に取り付けられている。そして、吸気部材２００内で温められた空気が汚泥乾燥炉５０内に吸気され、それが第１ＦＡＮ６０によって汚泥乾燥炉５０内の散気部材５２から散気される。
【００５５】
更に、第４実施形態では、汚泥乾燥炉５０内の乾燥ガス（湿り蒸気）が凝縮器３００に供給され、この凝縮器３００を通した乾燥ガスを吸気部材２００に戻す循環ルートを形成する構造としている。凝縮器３００では、汚泥乾燥炉５０からの乾燥ガスを冷やすことで凝縮水が生成されるので、これを排水する。図６では、凝縮器３００の乾燥ガスを吸気部材２００に戻して循環するとしたが、凝縮器３００の乾燥ガスをそのままスクラバ９０を通じて脱臭・洗浄して外に排気しても良い。また、制御器１３０，１５０を図４のように共通制御器１６０としても良い。
【００５６】
このように第４実施形態では、汚泥乾燥炉５０内で生じた乾燥ガス（湿り蒸気）を循環させる過程で凝縮器３００を通して乾燥ガス（湿り蒸気）の水分を凝縮水として回収するとともに、凝縮器３００を通過した乾燥ガスを循環ガスとして吸気部材２００に供給する構成としている。しかし、凝縮器３００を通過した循環ガス（乾燥ガス）は、温度が低下しているため、そのまま汚泥乾燥炉５０内に送気すると汚泥乾燥炉５０内の温度が低下して乾燥能力が低下する。このため、蓄熱タンク５５の外壁（下面等）に配した吸気部材２００の空気層（温度は蓄熱タンク５５と同等の温度になっている）に循環ガスを通し、循環ガス温度を上げて汚泥乾燥炉５０内へ供給することで乾燥能力を維持することができるようにしている。
【００５７】
（第４実施形態の変形例）
図７は、第４実施形態の変形例の汚泥乾燥システムを示す図である。以下の説明では、図６と異なる点を中心に変形例を説明する。
【００５８】
図７では、図６の第２ＦＡＮ８０，スクラバ９０を無くして、汚泥乾燥炉５０−凝縮器３００−吸気部材２００−第１ＦＡＮ６０−汚泥乾燥炉５０−散気部材５２の循環ルートを形成すると共に、凝縮器３００からの乾燥ガスにより汚泥乾燥を実現するものである。即ち、乾燥ガス（湿り蒸気）を汚泥乾燥炉５０の外へ排気することなく、凝縮器３００を用いて汚泥の水分を汚泥乾燥炉５０の外へ排出する構成としている。この場合、汚泥乾燥炉５０の出口部又は汚泥乾燥炉５０と凝縮器３００との間の配管上に第４温度センサ１７０を取り付け、その第４温度センサ１７０で検出した乾燥ガスの温度を第４制御器１８０に入力している。第４制御器１８０は、第４温度センサ１７０で検出した乾燥ガスの温度に従い第２ポンプ４０を制御して、上述した熱媒流量調整を行う。
【００５９】
（汚泥乾燥炉の形状）
図８は、図６の実施形態に適用可能な汚泥乾燥炉５０の形状の一例を示す。
【００６０】
図８では、汚泥乾燥炉５５の上面部を除く周囲を囲むように、温水蓄熱槽５５ａが取り付けられている。この温水蓄熱槽５５ａは、蓄熱タンク５５に相当するものである。そして、吸気部材２００の代わりに、熱交換パイプ４００を温水蓄熱槽５５ａの内底部に複数本配列する構成としている。２つの凝縮器３００は、汚泥乾燥炉５５と熱交換パイプ４００との間に設けられている。また、凝縮器３００と熱交換パイプ４００との結合、熱交換パイプ４００と第１ＦＡＮ６０との結合には、循環送風ヘッダ管４１０が設けられている。排気管４２０は、例えば図６の第２ＦＡＮ８０に接続されている。そして、汚泥乾燥炉５０の上部４３０は、天井蓋兼空気蓄熱槽であると共に、送風管兼散気管の役割を担っている。
【００６１】
上記構成の汚泥乾燥炉５０では、汚泥乾燥で生じた乾燥ガス（湿り蒸気）を循環させる過程で凝縮器３００を通して乾燥ガス（湿り蒸気）の水分を凝縮水として回収するとともに、乾燥ガスを温水蓄熱槽５５ａ内に設けた複数の熱交換パイプ４００を通過させて暖める。その暖められた乾燥ガス（水分除去）は、第１ＦＡＮ６０によって、汚泥乾燥炉５０の上部４３０に供給され、汚泥乾燥炉５０内の汚泥に向けて散気される。
【００６２】
図９は、図７の実施形態に適用可能な汚泥乾燥炉５０の形状の一例を示す。即ち、図９では、図８の排気管４２０が無くなった構成であり、図７の乾燥を実現する。
【００６３】
上述した汚泥乾燥炉５０によれば、複数の熱交換パイプ４００の全体が温水蓄熱槽５５ａによって暖められるので、凝縮器３００からの乾燥ガスを有効に利用することができる。なお、ここでは２つの凝縮器３００を左右に設けるとしたが、１つの凝縮器３００であっても良い。
【００６４】
（第５実施形態）
図１０は、第５実施形態の汚泥乾燥システムを示す図である。以下の説明では、図１の第１実施形態と異なる点を中心に第５実施形態を説明する。
【００６５】
図１０では、図１の第１実施形態と同様に、太陽熱集熱器１０と、第１ポンプ１５と、蓄熱槽２０と、補助熱源３０と、第２ポンプ４０と、汚泥乾燥炉５０と、第１ＦＡＮ６０と、第２ＦＡＮ８０と、スクラバ９０などを有して構成されているが、熱交換器７０は無い。
【００６６】
そして、第５実施形態では、既存で発電機、ボイラ等５００（コージェネレーション）などの排ガスが利用できる場合、図１０に示すように、その排ガスを熱交換器５１０に供給することで吸気した空気を加熱する。その加熱した空気をＦＡＮ５２０を経由して汚泥乾燥炉５０内に吸気するものである。また、ＦＡＮ５２０を制御するために、温度センサ５３０と制御器５４０を設けている。なお、ＦＡＮ５２０に代えて、ダンパを使用しても良い。
【００６７】
温度センサ５３０は、汚泥乾燥炉５０の出口部や、汚泥乾燥炉５０と第２ＦＡＮ８０との間の配管上に設けられ、汚泥乾燥炉５０の排気ガス温度を検出する。温度センサ５３０によって検出された排気ガス温度値は、制御器５４０に出力される。これは、図３の第２温度センサ１２０と第２制御器１３０の構成と同じである。制御器５４０は、温度センサ５３０によって検出された排気ガス温度値に従いＦＡＮ５２０を駆動制御する。
【００６８】
また、図１１に示すように、図１０の熱交換器５１０を無くして、発電機、ボイラ等５００からの排ガスを吸気ガスとして、直接汚泥乾燥炉５０内に吸気しても良い。
【００６９】
また、図５の第３実施形態の汚泥乾燥システムに、既存で発電機、ボイラ等５００などの排ガスを適用すると、図１２に示す構成となる。この場合、発電機、ボイラ等５００などの排ガスが吸気部材２００に吸気されること以外は、図５の第３実施形態の動作と同じである。
【００７０】
図１０および図１１では、発電機、ボイラ等５００の排ガス温度が高いため（１００℃以上）、汚泥の乾燥が進むと、乾燥汚泥の過熱により発火の恐れがある。発火を防止するために、温度センサ５３０によって汚泥乾燥炉５０の排気ガスの温度を計測し、それを受けて制御器５４０がＦＡＮ５２０のファン回転数（もしくはダンパ開度）を制御することで送風量を調整し、乾燥汚泥の表面温度が発火温度に上昇しないように制御している。なお、第５実施形態を図２乃至図７に示した各実施形態の汚泥乾燥システムに適用しても良い。
【００７１】
（第６実施形態）
図１３は、第６実施形態の汚泥乾燥システムを示す図である。第６実施形態は、下水処理場における汚泥乾燥システムの一例を示した図である。ここでは、図７の実施形態に下水処理場の施設を接続する構成としたが、他の実施形態の汚泥乾燥システムに適用しても良い。
【００７２】
第６実施形態では、下水処理場の汚泥処理施設６００から出る濃縮・脱水された汚泥を汚泥乾燥炉５０に送り込むように構成している。図７で説明した汚泥乾燥により、凝縮器３００から排出される水（凝縮水）は、下水処理場の水処理施設６５０に返流する。そして、水処理施設６５０で洗浄された処理水は、河川に放水する。
【００７３】
この第６実施形態によれば、乾燥した排気ガスがなく、スクラバ等の排気脱臭装置を必要としない。また、乾燥水蒸気を凝縮器で凝縮・回収した水（凝縮水）を既存の水処理施設に返流することで、乾燥処理で生じる蒸気の排気・排水処理装置が不要となる。併せて、臭気対策に係る装置も不要となる。
【００７４】
（汚泥乾燥システムの運転）
図１４は、関東地区における５月頃〜１０月頃の汚泥乾燥システムの一日の運転状況の一例を示す図である。この例では、実線で示す午前７時頃〜午後５時半頃までの太陽熱が利用可能な時間帯では、太陽熱集熱器１０で暖めた循環熱媒を蓄熱タンク５５の熱源として用いて汚泥乾燥を行う一方、蓄熱槽２０の循環熱媒を加温する動作を並行して行う。そして、午後５時半頃以降〜翌日の午前７時前までの時間帯は、蓄熱槽２０を熱源として蓄熱タンク５５を暖め、撹拌と下面と上面の両方からの乾燥作用による汚泥乾燥を行う。
【００７５】
汚泥乾燥炉５０では、その下面に設けた蓄熱タンク５５の温水循環と、汚泥乾燥炉５０内への循環送風散気とが２４時間行われる。これらの乾燥処理を２４時間行うことで、短時間で汚泥乾燥が実施できる。なお、図１４の破線で示すように、冬場や曇りなどで太陽の日射量が不足する場合には、蓄熱槽２０のヒータ補助熱源３０を併用することで汚泥乾燥作業を維持する。
【００７６】
図１５は、熱媒流量調整の一例を示す図である。図１５の線Ａは排気ガスの温度若しくは汚泥乾燥炉５０の内部温度の上限値を示すラインである。図３などで示す第２温度センサ１２０は、これらの温度を測定している。そして、排気ガスの温度若しくは汚泥乾燥炉５０の内部温度が線Ａの値に近づく、若しくは超えた場合は、熱媒流量調整を実施して、一点鎖線で示すように線Ａを下回るように調整する。即ち、排気ガスの温度若しくは汚泥乾燥炉５０の内部温度が線Ａを超える場合、第２制御器１３０は蓄熱槽２０からの循環熱媒の流量が少なくなるように第２ポンプ４０を駆動することで、蓄熱タンク５５の温度が低くなるように制御する。
【００７７】
図１６は、汚泥乾燥システムの実験結果の一例である。２４時間運転で、汚泥の含水率が３０％以下に乾燥できていることが分る。
【００７８】
以上の説明の通り、本発明の実施形態によれば、蓄熱手段により汚泥乾燥炉の下面から汚泥を温めると共に、汚泥乾燥炉内上部の散気手段から汚泥に向けて散気することにより汚泥を乾燥するものであるため、乾燥時間が短く、且つ低コストの汚泥乾燥システムを提供する。また、太陽熱の自然エネルギーを活用した環境に良い汚泥乾燥システムおよび汚泥乾燥方法を提供することができる。
【００７９】
即ち、汚泥乾燥、つまり水分を蒸発させるのに必要なエネルギー／熱量は、エネルギー源が太陽熱や化石燃料など種類によらず同じである。加えるエネルギー／熱量だけに着目すれば、単位時間あたりに加えるエネルギー量が多ければ、それだけ乾燥時間が短縮できることになる。例えば、４０℃で乾燥させるのと、１００℃で乾燥させる（単位時間あたりに加える熱量が大きい）では、後者の方が数分の一程度に乾燥時間を短縮できる。つまり化石燃料を使った方が、容易に装置を小型化して乾燥時間を短縮することができるが、燃料代（ランニングコスト）が掛り、大きなデメリットになる。
【００８０】
一方、太陽熱をエネルギー源とした場合には、従来の天日乾燥では日中しか汚泥を乾燥させることができない。これに対し、本発明の各実施形態では、蓄熱したエネルギー／熱量で夜間も汚泥乾燥することができるので、同じ設備規模であれば、従来の天日乾燥よりも短時間で汚泥乾燥できる。散気による汚泥表面の乾燥促進に着目すれば、実施形態の特徴の一つである“乾燥機内の散気部材で汚泥表面の乾燥促進する”ことで、化石燃料を使う場合や太陽熱（天日乾燥含む）で汚泥乾燥する場合のどちらであっても、相対的に乾燥時間を短縮することがでる。
【００８１】
本発明のいくつかの実施形態を説明したが、これらの実施形態は、例として提示したものであり、発明の範囲を限定することは意図していない。これらの新規な実施形態は、その他の様々な形態で実施されることが可能であり、発明の要旨を逸脱しない範囲で、種々の省略、置き換え、変更、組み合わせを行うことができる。これらの実施形態やその変形は、発明の範囲や要旨に含まれるとともに、特許請求の範囲に記載された発明とその均等の範囲に含まれる。また、各実施形態では、循環熱媒として水を用いるとしたが、水に代えて油を用いても良い。
【符号の説明】
【００８２】
１０‥太陽熱集熱器、  １５…第１ポンプ、  ２０‥蓄熱槽、  ３０‥補助熱源
４０‥第２ポンプ、  ５０‥汚泥乾燥炉、  ５１‥撹拌機、  ５２‥散気部材、
５３‥散気穴、  ５５‥蓄熱タンク、  ５５ａ‥温水蓄熱槽、  ６０‥第１ＦＡＮ
７０‥熱交換器、  ８０‥第２ＦＡＮ、  ９０‥スクラバ、  １００‥第１温度センサ
１１０‥第１制御器、  １２０‥第２温度センサ、  １３０‥第２制御器
１４０‥第３温度センサ、  １５０‥第３制御器、  １６０‥共通制御器
１７０…第４温度センサ、  １８０…第４制御器、２００‥吸気部材
３００‥凝縮器、  ４００‥熱交換パイプ、  ４１０‥循環送風ヘッダ管
４２０‥排気管、  ４３０‥送風管／散気管、５００‥発電機、ボイラ等
５１０‥熱交換器、５２０‥ＦＡＮ（又はダンパ）  ５３０‥温度センサ、
５４０‥制御器、  ６００‥汚泥処理施設、６５０‥水処理施設
【図１】
0006453037.tif 000002
【図２】
0006453037.tif 000003
【図３】
0006453037.tif 000004
【図４】
0006453037.tif 000005
【図５】
0006453037.tif 000006
【図６】
0006453037.tif 000007
【図７】
0006453037.tif 000008
【図８】
0006453037.tif 000009
【図９】
0006453037.tif 000010
【図１０】
0006453037.tif 000011
【図１１】
0006453037.tif 000012
【図１２】
0006453037.tif 000013
【図１３】
0006453037.tif 000014
【図１４】
0006453037.tif 000015
【図１５】
0006453037.tif 000016
【図１６】
0006453037.tif 000017